(57)【特許請求の範囲】
【請求項１】
少なくとも一方が透光性を有し、間隔をあけて向かい合うように配置された一対の基板と、
前記一対の基板の基板間に配置され、該基板間に形成された電界に応じて移動する粒子群であって、同極性で色及び移動特性の異なる複数種類の粒子群と、
前記一対の基板の何れか一方側に配置された第１の電極と、
前記一対の基板のうちの前記第１の電極の配置されていない側の基板に、表示対象の画像の各画素に応じて配置された複数の第２の電極と、
前記一対の基板の基板間に配置され、前記粒子群が前記一対の基板の向かい合う方向に通過する開口部が前記複数の第２の電極の各々に対応して設けられた第３の電極と、
を備えた表示媒体に対して、
前記複数種類の粒子群のうちの第１の粒子群が前記第３の電極の前記開口部を通過し、前記複数種類の粒子群のうちの該第１の粒子群より移動特性の低い第２の粒子群が前記第３の電極の前記開口部を非通過となる電圧を、前記第１の電極、及び前記複数の第２の電極へ印加する第１の処理を行った後に連続して、
前記第１の処理によって前記第３の電極の前記開口部を通過した前記第１の粒子群が、前記一対の基板のうちの該第１の粒子群の前記開口部の通過方向下流側に配置された基板側へ移動し、該第１の処理によって前記第３の電極の前記開口部を非通過の前記第２の粒子群が該基板に向かい合う基板側へ移動する電圧を、前記第１の電極、前記複数の第２の電極、及び前記第３の電極へ印加する第２の処理を行う電圧印加装置と、
を備えた表示装置。
【請求項２】
前記電圧印加装置は、前記複数種類の粒子群を前記基板間で複数回移動させて表示を行うときに、前記複数種類の粒子群のうちの移動特性の低い種類順に前記第１の粒子群として定め、前記第１の処理の後に前記第２の処理を行う一連の処理を繰り返し実行する請求項１に記載の表示装置。
【請求項３】
前記第１の電極と前記第３の電極間の距離と、前記第２の電極と前記第３の電極間の距離とが等しく、前記電圧印加装置は、前記一対の基板のうちの、前記複数の第２の電極の設けられた基板側から、前記第１の電極の設けられた基板側へ前記粒子群を移動させるときには、前記第１の処理において、前記複数の第２の電極のうちの前記粒子群を移動させる画素に対応する位置に設けられた第２の電極と前記第１の電極との電位差Ｐと、前記第３の電極と前記第１の電極との電位差Ｇとの関係が、下記式（１）の関係を満たすように、前記第１の電極、前記複数の第２の電極、及び前記第３の電極へ電圧を印加する請求項１または請求項２に記載の表示装置。
Ｐ／２≦Ｇ≦Ｐ    式（１）
【請求項４】
前記電圧印加装置は、前記第１の電極の設けられた基板側から前記複数の第２の電極の設けられた基板側へ前記粒子群を移動させるときには、前記第１の処理において、前記第１の電極に印加する電圧と同じ極性で且つ同じ電圧値の電圧を前記第３の電極へ印加する請求項１〜請求項３の何れか１項に記載の表示装置。
【請求項５】
前記電圧印加装置は、前記第２の処理において、該第２の処理の直前に連続して行われた前記第１の処理の時に前記第３の電極に印加された電圧の電圧値の絶対値より大きい電圧値の電圧を前記第３の電極へ印加する請求項１〜請求項４の何れか１項に記載の表示装置。
【請求項６】
少なくとも一方が透光性を有し、間隔をあけて向かい合うように配置された一対の基板と、
前記一対の基板の基板間に配置され、該基板間に形成された電界に応じて移動する粒子群と、
前記一対の基板の何れか一方側に配置された第１の電極と、
前記一対の基板のうちの前記第１の電極の配置されていない側の基板に、表示対象の画像の各画素に応じて配置された複数の第２の電極と、
前記一対の基板の基板間に配置され、前記粒子群が前記一対の基板の向かい合う方向に通過する開口部が前記複数の第２の電極の各々に対応して設けられた第３の電極と、
を備えた表示媒体に対して、
前記粒子群のうちの、該粒子群を移動させる画素に対応する領域に位置されている第１の粒子群が前記第３の電極の前記開口部を通過し、前記粒子群のうちの、該粒子群を移動させない画素に対応する領域に位置されている第２の粒子群が前記第３の電極の前記開口部を非通過となるような、前記第１の電極、前記複数の第２の電極、及び前記第３の電極の電位差となる電圧を、前記第１の電極、及び前記複数の第２の電極へ印加する第１の処理の後に連続して、前記第１の処理によって前記第３の電極の前記開口部を通過した前記第１の粒子群が、前記一対の基板のうちの該第１の粒子群の前記開口部の通過方向下流側に配置された基板側へ移動し、該第１の処理によって前記第３の電極の前記開口部を非通過の前記第２の粒子群が該基板に向かい合う基板側へ移動する電位差となる電圧を、前記第１の電極、前記複数の第２の電極、及び前記第３の電極へ印加する第２の処理を行う電圧印加装置と、
を備えた表示装置。
【発明の詳細な説明】
【技術分野】
【０００１】
本発明は、表示装置に関する。
【背景技術】
【０００２】
特許文献１には、複数の表示セルが複数配列されたハウジングと、このハウジングの上下に配置された共通電極である透明電極と、各表示セルの各々を電磁的に２つ以上の領域に分離するゲート電極と、各表示セル内に含有された帯電粒子と、によって構成された画像表示が開示されている。特許文献１では、画像記録用電極を画像表示部の表面に近づけることで各表示セル内の帯電粒子を一方の透明電極側に移動させた後に、該透明電極側に移動した帯電粒子が他方の透明電極に向けて移動しないように、ゲート電極に電圧を印加している。
【０００３】
特許文献２には、第１の電極の形成された第１基板と、第２の電極の形成された第２基板と、第１基板と第２基板との間に設けられ電界によって移動する粒子を含有して密封された微細チャンネルを複数有するチャンネル板と、該チャンネル板内に形成された第３の電極と、を備えた表示装置が開示されている。特許文献２では、各微細チャネルのうちの、粒子を第１基板または第２基板側へ移動させる微細チャネル以外には電位障壁を設ける、粒子を第１基板または第２基板側へ移動させる微細チャネルには電位障壁を設けて書込をおこなうことが開示されている。
【０００４】
特許文献３には、第１表示電極が下断面に沿って配置され、第２表示電極が上断面に沿うように配置されており、それらの電極間に、第１制御電極が配置された表示装置が開示されている。特許文献３では、第１制御電極に印加する電圧が大きい場合には、帯電泳動粒子の移動は禁止され、第１制御電極に印加する電圧が小さい場合には、該移動が許容されることが開示されている。
【０００５】
特許文献４には、互いに間隔を置いて対向して配置された一対の基板間に複数種類の電気泳動粒子を含む表示媒体が開示されている。
【０００６】
特許文献５には、泳動速度の差を利用して、正負の電圧を交互に印加して全面に来る粒子を選択することが開示されている。
【先行技術文献】
【特許文献】
【０００７】
【特許文献１】特開２００１−２８２１４３号公報
【特許文献２】特開２００５−０１０７８１号公報
【特許文献３】特開２００３−００５２２９号公報
【特許文献４】特開２００６−３４３４５８号公報
【特許文献５】特開２００６−５２２３６１号公報
【発明の概要】
【発明が解決しようとする課題】
【０００８】
本発明の課題は、本発明における第１の処理及び第２の処理を行わない場合に比べて、ある色を表示したときと、別の色を表示したときの色分離を改善する表示装置を提供することである。
【課題を解決するための手段】
【０００９】
請求項１に係る発明は、少なくとも一方が透光性を有し、間隔をあけて向かい合うように配置された一対の基板と、前記一対の基板の基板間に配置され、該基板間に形成された電界に応じて移動する粒子群であって、同極性で色及び移動特性の異なる複数種類の粒子群と、前記一対の基板の何れか一方側に配置された第１の電極と、前記一対の基板のうちの前記第１の電極の配置されていない側の基板に、表示対象の画像の各画素に応じて配置された複数の第２の電極と、前記一対の基板の基板間に配置され、前記粒子群が前記一対の基板の向かい合う方向に通過する開口部が前記複数の第２の電極の各々に対応して設けられた第３の電極と、を備えた表示媒体に対して、前記複数種類の粒子群のうちの第１の粒子群が前記第３の電極の前記開口部を通過し、前記複数種類の粒子群のうちの該第１の粒子群より移動特性の低い第２の粒子群が前記第３の電極の前記開口部を非通過となる電圧を、前記第１の電極、及び前記複数の第２の電極へ印加する第１の処理を行った後に連続して、前記第１の処理によって前記第３の電極の前記開口部を通過した前記第１の粒子群が、前記一対の基板のうちの該第１の粒子群の前記開口部の通過方向下流側に配置された基板側へ移動し、該第１の処理によって前記第３の電極の前記開口部を非通過の前記第２の粒子群が該基板に向かい合う基板側へ移動する電圧を、前記第１の電極、前記複数の第２の電極、及び前記第３の電極へ印加する第２の処理を行う電圧印加装置と、を備えた表示装置である。
【００１０】
請求項２に係る発明は、前記電圧印加装置は、前記複数種類の粒子群を前記基板間で複数回移動させて表示を行うときに、前記複数種類の粒子群のうちの移動特性の低い種類順に前記第１の粒子群として定め、前記第１の処理の後に前記第２の処理を行う一連の処理を繰り返し実行する請求項１に記載の表示装置である。
【００１１】
請求項３に係る発明は、前記第１の電極と前記第３の電極間の距離と、前記第２の電極と前記第３の電極間の距離とが等しく、前記電圧印加装置は、前記一対の基板のうちの、前記複数の第２の電極の設けられた基板側から、前記第１の電極の設けられた基板側へ前記粒子群を移動させるときには、前記第１の処理において、前記複数の第２の電極のうちの前記粒子群を移動させる画素に対応する位置に設けられた第２の電極と前記第１の電極との電位差Ｐと、前記第３の電極と前記第１の電極との電位差Ｇとの関係が、下記式（１）の関係を満たすように、前記第１の電極、前記複数の第２の電極、及び前記第３の電極へ電圧を印加する請求項１または請求項２に記載の表示装置である。
【００１２】
Ｐ／２≦Ｇ≦Ｐ    式（１）
【００１３】
請求項４に係る発明は、前記電圧印加装置は、前記第１の電極の設けられた基板側から前記複数の第２の電極の設けられた基板側へ前記粒子群を移動させるときには、前記第１の処理において、前記第１の電極に印加する電圧と同じ極性で且つ同じ電圧値の電圧を前記第３の電極へ印加する請求項１〜請求項３の何れか１項に記載の表示装置である。
【００１４】
請求項５に係る発明は、前記電圧印加装置は、前記第２の処理において、該第２の処理の直前に連続して行われた前記第１の処理の時に前記第３の電極に印加された電圧の電圧値の絶対値より大きい電圧値の電圧を前記第３の電極へ印加する請求項１〜請求項４の何れか１項に記載の表示装置である。
【００１５】
請求項６に係る発明は、少なくとも一方が透光性を有し、間隔をあけて向かい合うように配置された一対の基板と、前記一対の基板の基板間に配置され、該基板間に形成された電界に応じて移動する粒子群と、前記一対の基板の何れか一方側に配置された第１の電極と、前記一対の基板のうちの前記第１の電極の配置されていない側の基板に、表示対象の画像の各画素に応じて配置された複数の第２の電極と、前記一対の基板の基板間に配置され、前記粒子群が前記一対の基板の向かい合う方向に通過する開口部が前記複数の第２の電極の各々に対応して設けられた第３の電極と、を備えた表示媒体に対して、前記粒子群のうちの、該粒子群を移動させる画素に対応する領域に位置されている第１の粒子群が前記第３の電極の前記開口部を通過し、前記粒子群のうちの、該粒子群を移動させない画素に対応する領域に位置されている第２の粒子群が前記第３の電極の前記開口部を非通過となるような、前記第１の電極、前記複数の第２の電極、及び前記第３の電極の電位差となる電圧を、前記第１の電極、及び前記複数の第２の電極へ印加する第１の処理の後に連続して、前記第１の処理によって前記第３の電極の前記開口部を通過した前記第１の粒子群が、前記一対の基板のうちの該第１の粒子群の前記開口部の通過方向下流側に配置された基板側へ移動し、該第１の処理によって前記第３の電極の前記開口部を非通過の前記第２の粒子群が該基板に向かい合う基板側へ移動する電位差となる電圧を、前記第１の電極、前記複数の第２の電極、及び前記第３の電極へ印加する第２の処理を行う電圧印加装置と、を備えた表示装置である。
【発明の効果】
【００１６】
請求項１に記載の発明によれば、本発明における第１の処理及び第２の処理を行わない場合に比べて、ある色を表示したときと、別の色を表示したときの色分離を改善する表示装置が提供される、という効果を奏する。
【００１７】
請求項２に記載の発明によれば、本発明における第１の処理及び第２の処理を繰り返し実行しない場合に比べて、色分離性の向上された多色表示が実現される、という効果を奏する。
【００１８】
請求項３に記載の発明によれば、本発明における一対の基板のうちの、複数の第２の電極の設けられた基板側から、第１の電極の設けられた基板側へ粒子群を移動させるときに、第１の処理において、複数の第２の電極のうちの粒子群を移動させる画素に対応する位置に設けられた第２の電極と第１の電極との電位差Ｐと、第３の電極と第１の電極との電位差Ｇとの関係が、本発明における式（１）の関係を満たさない場合に比べて、粒子群が第３の電極に引っかかって動けなくなることが抑制される、という効果を奏する。
【００１９】
請求項４に記載の発明によれば、本発明における第１の電極の設けられた基板側から複数の第２の電極の設けられた基板側へ粒子群を移動させるときに、第１の処理において、第１の電極に印加する電圧と同じ極性で且つ同じ電圧値の電圧を第３の電極へ印加しない場合に比べて、色分離性がより向上される、という効果を奏する。
【００２０】
請求項５に記載の発明によれば、本発明における第２の処理において、該第２の処理の直前に連続して行われた第１の処理の時に第３の電極に印加された電圧の電圧値の絶対値より大きい電圧値の電圧を第３の電極へ印加しない場合に比べて、第２の処理の時間が減少される、という効果を奏する。
【００２１】
請求項６に記載の発明によれば、本発明における第１の処理及び第２の処理を行わない場合に比べて、粒子群が第３の電極に引っかかって動けなくなることが抑制される、という効果を奏する。
【図面の簡単な説明】
【００２２】
【図１】第１の実施形態に係る表示装置の一例を示す概略構成図である。
【図２】図１に示す表示装置の表示媒体における電極の構成を模式的に示した概略構成図である。
【図３】図１に示す表示装置の表示媒体における電極の構成を模式的に示した概略構成図である。
【図４】（Ａ）〜（Ｃ）第１の実施の形態における表示装置の作用を示す模式図である。
【図５】（Ａ）は、画素電極側から表示電極側へ粒子群を移動させる場合に第１の処理において印加される電圧を示す模式図である。（Ｂ）は、表示電極側から画素電極側へ粒子群を移動させる場合に第１の処理において印加される電圧を示す模式図である。
【図６】（Ａ）〜（Ｅ）は、表示電極と、画素電極と、中間電極と、に電圧を印加したときの電界シミュレーション結果を示す模式図である。
【図７】（Ａ）〜（Ｇ）は、表示電極と、画素電極と、中間電極と、に電圧を印加したときの電界シミュレーション結果を示す模式図である。
【図８】（Ａ）は、第１の実施の形態の表示装置における粒子群の移動速度の好ましい状態を示す模式図である。（Ｂ）は、第２の実施の形態の表示装置における粒子群の移動速度の好ましい状態を示す模式図である。
【図９】（Ａ）（Ｂ）は、表示電極側に配置されている粒子群を、画素電極側に移動させる場合に、第１の処理において、表示電極と中間電極とを同じ電位とすることが良いことを裏付けるシミュレーション結果を示した図である。
【図１０】第２の実施の形態における表示装置の一例を示す概略構成図である。
【図１１】（Ａ）〜（Ｈ）は、第２の実施の形態における表示装置について、多色表示を行う場合を示した模式図である。
【図１２】第２の実施の形態において、画素電極側に配置された複数種類の粒子群を、移動速度の遅い種類の粒子群から順に、第１の処理及び第２の処理を行うときに、表示電極と、中間電極と、移動対象の画素に対応する画素電極と、に印加される電圧の一例を示す模式図である。
【図１３】第１の実施形態に係る表示装置の一例を示す概略構成図であり、図１とは異なる形態を示す概略構成図である。
【発明を実施するための形態】
【００２３】
以下、本実施形態について図面を参照しつつ説明する。なお、作用・機能が同様の働きを担う部材には、全図面を通して同じ符合を付与し、重複する説明を省略する場合がある。
【００２４】
（第１の実施の形態）
図１に示すように、本実施形態に係る表示装置１０は、表示媒体１２と、表示媒体１２に電圧を印加する電圧印加部１６と、電圧印加部１６の駆動を制御する制御部１８と、を含んで構成されている。制御部１８は、電圧印加部１６に信号授受可能に接続されている。
【００２５】
制御部１８は、例えば、装置全体の動作を司るＣＰＵ（中央処理装置）と、各種データを一時的に記憶するＲＡＭ（Ｒａｎｄｏｍ  Ａｃｃｅｓｓ  Ｍｅｍｏｒｙ）と、装置全体を制御する制御プログラムや処理ルーチンによって示されるプログラムを含む各種プログラムの予め記憶されたＲＯＭ（Ｒｅａｄ  Ｏｎｌｙ  Ｍｅｍｏｒｙ）と、を含んだ構成とされる。
【００２６】
なお、表示装置１０が本発明の表示装置に相当する。また、電圧印加部１６及び制御部１８が、本発明の表示装置における電圧印加装置に相当する。
【００２７】
表示媒体１２は、画像表示面とされる透光性（可視光の透過率が７０％以上）を有する表示基板２０と、表示基板２０に間隔をあけて向かい合うように配置された背面基板２２と、を含んで構成されている。表示基板２０と背面基板２２との基板間には、分散媒３６が充填されており、分散媒３６中には、表示基板２０と背面基板２２との基板間に形成された電界に応じて該基板間を移動する粒子群４０と、が分散されている。また、粒子群４０が、表示基板２０側へ移動したときに視認され、背面基板２２側へ移動したときに隠蔽されるように、分散媒３６に、染料、顔料、着色粒子等を添加して着色する。本実施の形態では、白色粒子３８による着色を例示しているが、着色する色は、白色、黒色などの無彩色、赤、緑、青などの有彩色など、特に限定されない。
【００２８】
表示基板２０としては、ガラスやプラスチック等の材料が適用され、例えば、ソーダライムガラスやボロシリケートガラスなどのガラスや、ポリカーボネート樹脂、アクリル樹脂、ポリイミド樹脂、ポリエチレンテレフタレートなどのポリエステル樹脂、エポキシ樹脂、ポリエーテルサルフォン樹脂などの樹脂が適用される。また、背面基板２２は、透光性は要求されないので、ステンレス鋼板上に、樹脂等で絶縁被覆したもの等が適用される。
【００２９】
表示基板２０には、表示電極２４と絶縁層２８が順に設けられている。背面基板２２には、複数の画素電極２６、及び絶縁層３０が順に設けられている。
【００３０】
表示電極２４は、本実施の形態では、図２に示すように、表示基板２０の板面に添って層状に設けられた、所謂、ベタ電極とされている。そして、表示電極２４は、電圧印加部１６に電気的に接続されている。このため、表示電極２４は、電圧印加部１６から電圧を印加されることで、表示電極２４の全領域に同じ電圧を印加される共通電極として構成されている。
【００３１】
一方、複数の画素電極２６は、背面基板２２の面方向に沿って、間隔を空けて行方向及び列方向の双方に向かって配列された状態とされている（図２参照）。なお、図１には、説明を簡略化するために、２つの画素電極２６１及び画素電極２６２のみを図示した。また、これらの画素電極２６１及び画素電極２６２を含む複数の画素電極２６を総称する場合には、単に、画素電極２６と称して説明する。これらの複数の画素電極２６は、各々独立して電圧印加部１６に電気的に接続されており、電圧印加部１６から独立して電圧を印加される構成とされている。
【００３２】
なお、本実施の形態では、複数の画素電極２６の各々は、表示媒体１２に表示される画像の各画素に１対１で対応して設けられているものとして説明するが、１つの画素に複数の画素電極２６が対応するように設けられた構成であってもよい。
【００３３】
また、本実施の形態では、表示電極２４、複数の画素電極２６、及び後述する中間電極３４の全てが、電圧印加部１６に電気的に接続されている場合を説明するが、表示電極２４、複数の画素電極２６、及び後述する中間電極３４のうちの、表示電極２４は接地された形態であってもよい。
【００３４】
表示電極２４、画素電極２６、及び後述する中間電極３４には、インジウム、スズ、亜鉛、アンチモン等の酸化物、ＩＴＯ等の複合酸化物、金、銀、銅、ニッケル等の金属、ポリピロールやポリチオフェン等の有機材料等が使用される。
なお、表示電極２４は、表示基板２０に埋め込んでもよいし、同様に、画素電極２６は背面基板２２に埋め込んでもよい。この場合、表示基板２０、背面基板２２の材料が、粒子群４０の帯電特性に影響を及ぼすことがあるので、粒子群４０の組成等に応じて選択する必要がある。
【００３５】
絶縁層２８及び絶縁層３０は、絶縁性（体積抵抗率が１０１１Ω・ｃｍ以上、以下同様とする）の層である。絶縁層２８は、表示基板２０上に設けられた表示電極２４上に積層されるように層状に設けられている。絶縁層３０は、背面基板２２上に設けられた複数の画素電極２６上に設けられた膜状の層である。
この絶縁層２８及び絶縁層３０を構成する材料としては、ポリカーボネート、ポリエステル、ポリスチレン、ポリイミド、エポキシ、ポリウレタン、ポリアミド、ポリビニルアルコール、ポリブタジエン、ポリメチルメタクリレート、ポリアクリレート、共重合ナイロン、シリコーン樹脂、フッ素樹脂などの樹脂、二酸化珪素、アルミナ、五酸化二タンタル、チタン酸バリウム、チタン酸ストロンチウム、チタン酸鉛などの金属酸化物、窒化珪素などの金属窒化物等が挙げられる。
【００３６】
表示基板２０と背面基板２２との基板間の中間には、中間電極３４が設けられている。この中間電極３４には、粒子群４０が表示基板２０と背面基板２２との向かい合う方向に通過する開口部３４Ａが、複数の画素電極２６の各々に対応して設けられている。また、この中間電極３４は、電圧印加部１６に電気的に接続されている。中間電極３４は、電圧印加部１６から電圧を印加されることで、中間電極３４の全領域に同じ電圧を印加される共通電極として構成されている。
【００３７】
なお、本実施の形態では、中間電極３４は、網目状に構成され、その端部が表示媒体１２の図示を省略する支持部材に保持されることで、表示基板２０と背面基板２２との中間に配置されているものとして説明するが、このような形態に限られない。例えば、中間電極３４を、表示基板２０と背面基板２２との中間に配置するために、中間電極３４と絶縁層２８との間、または中間電極３４と絶縁層３０との間に支持体３５を設けてもよい。この場合には、支持体３５は、中間電極３４と絶縁層３０の間、全面に設けてもよいし（図１３（Ａ））、部分的に設けてもよい（図１３（Ｂ））。同様に、中間電極３４と絶縁層２８との間に支持体３５を設けてもよい（図１３（Ｃ））。
支持体３５を構成する材料としては、誘電体が用いられ、例えば、ポリアクリレート、ポリメタクリレート、ポリエステル、エポキシ、ポリウレタン、ポリイミドなどの樹脂が挙げられる。
【００３８】
本実施の形態では、中間電極３４は、図２に示すように、複数の画素電極２６の各々に対応する領域に粒子群４０の通過する開口部３４Ａを有する構成とされている。開口部３４Ａは、個々の画素電極２６に対して、少なくとも１個設けるものとし、複数個設けてもよい。この開口部３４Ａは、複数の画素電極２６の各々から表示電極２４側に向かって移動する粒子群４０が通過する開口部となるように、各画素電極２６の各々に対応する位置に設けられていればよい。本実施の形態では、図２に示すように、複数の画素電極２６の各々に対応する開口部３４Ａは、画素電極２６の形状に相似する矩形状の孔とされているものとして説明する。このため、中間電極３４は、これらの複数の開口部３４Ａによって、格子状に構成されているものとして説明する。
【００３９】
なお、この中間電極３４は、共通電極であり、且つ、複数の画素電極２６の各々に対応する位置に、粒子群４０が表示基板２０と背面基板２２との向かい合う方向に通過する開口部３４Ａの設けられた構成であればよい。このため、中間電極３４は、図２に示すように、表示媒体１２を表示基板２０側から見たときに、複数の画素電極２６の各々に重ならないように（各々の画素電極２６の全領域が表示基板２０側から見えるように）、該画素電極２６の各々に対応する位置に孔や空間等の開口部３４Ａの設けられた構成であってもよい。また、図３に示すように、表示媒体１２を表示基板２０側から見たときに、複数の画素電極２６の各々に重なるように（各々の画素電極２６の全領域のうちの一部のみが表示基板２０側から見えるように）、該画素電極２６の各々に対応する位置に孔や空間等の開口部３４Ａの設けられた構成であってもよい。
【００４０】
また、この開口部３４Ａの形状は、本実施の形態では矩形状であるものとして説明するが、粒子群４０が通過する開口部であればよく、いかなる形状であってもよい。
開口部３４Ａの大きさは、表示基板２０と背面基板２２との距離の１／１０から１０倍の範囲、好ましくは１／３から３倍の範囲とする。ここで、開口部３４Ａの大きさとは、開口の形状が円形であればその直径、矩形であればその短辺または長辺を意味する。この範囲より大きいと、開口部３４Ａの中央付近の電位障壁が不十分となり、第２の処理を実施することが困難となる場合がある。一方、この範囲より小さいと、画素電極２６の電位変調によって、表示基板２０側から背面基板２２側へ粒子群４０を透過させるか否かを制御することが困難となる場合がある。
表示基板２０側から見たときの、開口部３４Ａの面積割合は１０％以上、好ましくは４０％以上とする。これより低いと、中間電極３４の開口パターンを反映した表示むらが生じやすくなるほか、粒子群４０の通過／非透過を十分に行えなくなったり、透過の完了までの時間が長くなる場合がある。
【００４１】
中間電極３４の、表示基板２０と背面基板２２との基板間における位置は、表示基板２０に設けられた表示電極２４と、背面基板２２側に設けられた画素電極２６と、の双方に非接触であり、且つ、これらの電極の間に位置されていればよい。このため、表示電極２４と画素電極２６との丁度中間の位置に設けられていても良いし、該中間の位置より表示電極２４に近い側や、該中間の位置より画素電極２６に近い側に設けられた形態であってもよい。
【００４２】
また、中間電極３４の色は特に限定されないが、白色や鏡面などの光反射性の材料を用いることで、粒子群４０が背面基板２２側へ移動したときに、反射率を高めることができる。あるいは、黒色等の遮光性の材料を用いて、分散媒３６の隠蔽性を補助することもできる。また、透明な材料を用いて、中間電極３４に起因した表示むらを目立たなくすることもできる。
あるいは、中間電極３４を、粒子群４０とは異なる光学的反射特性を有する電極としてもよい。なお、この「中間電極３４が粒子群４０とは異なる光学的反射特性を有する」とは、粒子群４０だけが分散された分散媒３６と、中間電極３４のみが設けられた分散媒３６と、を対比して目視で観察した場合に、色相や明度、鮮度などにおいて、両者の差異が識別される程度の差異があることを意味する。中間電極３４を粒子群４０とは異なる光学的反射特性を有する構成とすることで、中間電極３４の色も含めた多色表示が実現される。
【００４３】
表示基板２０と背面基板２２との基板間に充填されている分散媒３６としては、絶縁性の液体が挙げられる。分散媒３６としては、例えば、ヘキサン、シクロヘキサン、トルエン、キシレン、デカン、ヘキサデカン、ケロセン、パラフィン、イソパラフィン、シリコーンオイル、ジククロロエチレン、トリクロロエチレン、パークロロエチレン、高純度石油、ベンジン、ジイソプロピルナフタレン、オリーブ油、トリクロロトリフルオロエタン、テトラクロロエタン、ジブロモテトラフルオロエタンなどや、それらの混合物が挙げられる。
【００４４】
分散媒３６に分散されている白色粒子３８は、基板間に電界が形成されても移動しない白色の粒子である。その構成材料としては、高屈折率材料が用いられ、例えば、メラミンやビニルナフタレン化合物などの有機顔料や酸化チタン等の無機顔料が挙げられる。この白色粒子３８の体積平均粒径としては、０．０１μｍ以上２０μｍ以下等が挙げられる。なお、本実施の形態では、白色粒子３８は、白色である場合を説明するが、電気泳動する粒子群４０とは異なる光学的反射特性を有する粒子であればよく、白色に限られない。なお、この「白色粒子３８が粒子群４０とは異なる光学的反射特性を有する」とは、粒子群４０だけが分散された分散媒３６と、白色粒子３８のみが分散された分散媒３６と、を対比して目視で観察した場合に、色相や明度、鮮度などにおいて、両者の差異が識別される程度の差異があることを意味する。
【００４５】
粒子群４０は、表示基板２０と背面基板２２との基板間（以下、単に「基板間」と称する場合がある）に形成された電界に応じて移動する複数の粒子から構成されている。詳細には、粒子群４０は、その構成に応じて、基板間に特定の電界強度の電界が形成されたときに、基板間を移動する。すなわち、粒子群４０が移動するために必要な電界強度を形成するための電位差となるように、基板間に電圧が印加されることで、粒子群４０は、該粒子群４０に応じた移動特性で基板間を移動する。
なお、「電界強度」とは、単位距離あたりの電位差（Ｖ／ｍ）（以下、単に「電位差」と称する）を示している。
【００４６】
この「移動特性」とは、粒子群４０が基板間を動き出した後の移動速度、及び粒子群４０が基板間において移動を開始する電圧値（以下、電圧閾値と称する）の少なくとも一方を示している。
【００４７】
この粒子群４０が移動を開始する電界強度及び移動特性は、粒子群４０を構成する各粒子の表面の分散媒３６に対する流動抵抗、平均帯電量、粒径、及び形状係数等によって定められる。
【００４８】
この粒子群４０としては、アルミナ、酸化チタン等の金属酸化物粒子等、熱可塑性若しくは熱硬化性樹脂粒子、これらの樹脂粒子の表面に着色剤を固定したもの、及び熱可塑性若しくは熱硬化性樹脂中に着色剤を含有する粒子が挙げられる。
【００４９】
粒子群４０の製造に用いられる熱可塑性樹脂としては、スチレン、クロロスチレン等のスチレン類、エチレン、プロピレン、ブチレン、イソプレン等のモノオレフィン、酢酸ビニル、プロピオン酸ビニル、安息香酸ビニル、酪酸ビニル等のビニルエステル、アクリル酸メチル、アクリル酸エチル、アクリル酸ブチル、アクリル酸ドデシル、アクリル酸オクチル、アクリル酸フェニル、メタクリル酸メチル、メタクリル酸エチル、メタクリル酸ブチル、メタクリル酸ドデシル等のα−メチレン脂肪族モノカルボン酸エステル類、ビニルメチルエーテル、ビニルエチルエーテル、ビニルブチルエーテル等のビニルエーテル類、ビニルメチルケトン、ビニルヘキシルケトン、ビニルイソプロペニルケトン等のビニルケトン類の単独重合体あるいは共重合体が例示される。
【００５０】
また、粒子群４０の製造に用いられる熱硬化性樹脂としては、ジビニルベンゼンを主成分とする架橋共重合体や架橋ポリメチルメタクリレート等の架橋樹脂、フェノール樹脂、尿素樹脂、メラミン樹脂、ポリエステル樹脂、シリコーン樹脂等を挙げることができる。特に代表的な結着樹脂としては、ポリスチレン、スチレン−アクリル酸アルキル共重合体、スチレン−メタクリル酸アルキル共重合体、スチレン−アクリロニトリル共重合体、スチレン−ブタジエン共重合体、スチレン−無水マレイン酸共重合体、ポリエチレン、ポリプロピレン、ポリエステル、ポリウレタン、エポキシ樹脂、シリコーン樹脂、ポリアミド、変性ロジン、パラフィンワックス等が挙げられる。
【００５１】
着色剤としては、有機若しくは無機の顔料や、油溶性染料等が使用され、マグネタイト、フェライト等の磁性紛、カーボンブラック、酸化チタン、酸化マグネシウム、酸化亜鉛、フタロシアニン銅系シアン色材、アゾ系イエロー色材、アゾ系マゼンタ色材、キナクリドン系マゼンタ色材、レッド色材、グリーン色材、ブルー色材等の公知の着色剤を挙げることができる。具体的には、アニリンブルー、カルコイルブルー、クロムイエロー、ウルトラマリンブルー、デュポンオイルレッド、キノリンイエロー、メチレンブルークロリド、フタロシアニンブルー、マラカイトグリーンオキサレート、ランプブラック、ローズベンガル、Ｃ．Ｉ．ピグメント・レッド４８：１、Ｃ．Ｉ．ピグメント・レッド１２２、Ｃ．Ｉ．ピグメント・レッド５７：１、Ｃ．Ｉ．ピグメント・イエロー９７、Ｃ．ブルー１５：１、Ｃ．Ｉ．ピグメント・ブルー１５：３、等が代表的なものとして例示される。
【００５２】
粒子群４０に含まれる樹脂には、必要に応じて、帯電制御剤を混合してもよい。帯電制御剤としては、電子写真用トナー材料に使用される公知のものが使用される。
【００５３】
表示媒体１２に含まれる粒子群４０の含有量（質量％）としては、得たい色相が得られる濃度であれば特に限定されるものではないが、一般的には、０．０１質量％以上５０質量％以下である。
【００５４】
上記構成の本実施の形態の表示媒体１２は、画像の保存及び書き換えの可能な掲示板、回覧板、電子黒板、広告、看板、点滅標識、電子ペーパー、電子新聞、電子書籍、及び複写機等と共用されるドキュメントシート等に使用される。
【００５５】
なお、本実施の形態では、表示面とされる表示基板２０側に表示電極２４が設けられ、背面基板２２側に複数の画素電極２６が設けられている場合を説明するが、表示基板２０側に複数の画素電極２６が設けられ、背面基板２２側に表示電極２４が設けられた構成であってもよい。すなわち、表示媒体１２は、表示面とされる表示基板２０側に、複数の画素電極２６の設けられた構成であってもよい。
【００５６】
また、表示媒体１２は、複数の画素電極２６毎に薄膜トランジスタ、薄膜ダイオード、金属−絶縁体−金属素子などの能動素子を備えた構成であってもよい。
【００５７】
本実施の形態の表示媒体１２では、上述のように、粒子群４０は、基板間に形成された電界に応じて移動する。
このため、表示媒体１２では、複数の画素電極２６の設けられている背面基板２２と、表示電極２４の設けられている表示基板２０と、の基板間で、特定の画素に対応する領域の粒子群４０を移動させるときには、共通電極である表示電極２４と、複数の画素電極２６のうちの基板間で粒子群４０を移動させる画素に対応する位置に設けられた画素電極２６と、に電圧を印加して電位差を生じさせることで、特定の画素に対応する領域の粒子群４０を移動させている。そして、粒子群４０が表示基板２０側へ移動することで、表示媒体１２の表示基板２０の全領域のうちの、粒子群４０が表示基板２０へ到達した領域には、粒子群４０による色が表示される。また、表示媒体１２の表示基板２０の全領域のうちの、粒子群４０が背面基板２２側へ位置された領域には、白色粒子３８による色が表示される。
【００５８】
ここで、従来では、粒子群４０を表示基板２０側または画素電極２６側へ十分に寄せ切れないことがあり、浮遊した粒子が存在することがあった。このため、ある色を表示したときと、別の色を表示したときとで、明瞭な色分離が得られない場合があった。
【００５９】
そこで、本実施の形態の表示装置１０では、画素電極２６側から表示電極２４側、または表示電極２４側から画素電極２６側へ粒子群４０を移動させるときには、制御部１８による電圧印加部１６の制御によって第１の処理を行い、この第１の処理の後に続けて、第２の処理を行うことで、粒子群４０を何れか一方の基板側へ移動させる。
【００６０】
なお、これらの第１の処理及び第２の処理は、電圧印加部１６から表示電極２４、中間電極３４、及び画素電極２６への電圧印加によって行われる。そして、この電圧印加部１６は、制御部１８の制御によって駆動される。
【００６１】
この第１の処理とは、表示媒体１２に封入されている粒子群４０のうちの、粒子群４０を移動させる画素に対応する領域に位置されている粒子群４０が中間電極３４の開口部３４Ａを通過し、粒子群４０を移動させない画素に対応する領域に位置されている粒子群４０が中間電極３４の開口部３４Ａを非通過となるような電圧を、表示電極２４、中間電極３４、及び複数の画素電極２６へ印加することを示している。
【００６２】
詳細には、第１の処理では、表示電極２４と、中間電極３４と、複数の画素電極２６のうちの粒子群４０を移動させる画素に対応する位置に設けられた画素電極２６と、の電位差が、粒子群４０が一方の基板側から他方の基板側へ移動して中間電極３４の開口部３４Ａを通過する電位差となり、表示電極２４と、中間電極３４と、複数の画素電極２６のうちの粒子群４０を移動させる画素以外の画素に対応する位置に設けられた画素電極２６と、の電位差が、粒子群４０が中間電極３４の開口部３４Ａを通過しない電位差となるように、表示電極２４、中間電極３４、及び複数の画素電極２６へ電圧を印加する。
【００６３】
上記第２の処理は、上記第１の処理の後に連続して行われる処理である。第２の処理は、表示媒体１２に分散されている粒子群４０のうちの、上記第１の処理によって中間電極３４の開口部３４Ａを通過した粒子群４０が該粒子群４０の通過方向下流側に位置された基板側（表示基板２０及び背面基板２２の何れか一方側）へ移動し、該第１の処理によって中間電極３４の開口部３４Ａを非通過の粒子群４０が、該基板に向かい合う基板側（表示基板２０及び背面基板２２のうちの他方側）へ移動する電圧を、表示電極２４、中間電極３４、及び複数の画素電極２６へ印加することを示している。
【００６４】
詳細には、上記第２の処理では、表示電極２４と、中間電極３４と、複数の画素電極２６と、の電位差が、表示媒体１２に封入されている粒子群４０のうちの、上記第１の処理によって中間電極３４の開口部３４Ａを通過した粒子群４０が該通過方向下流側に位置された基板側（例えば、表示基板２０側）へ移動する電位差となり、且つ中間電極３４の開口部３４Ａを非通過の粒子群４０が該基板に向かい合う基板側（例えば、背面基板２２側）へ移動する電位差となるように、表示電極２４、中間電極３４、及び複数の画素電極２６へ電圧を印加する。
【００６５】
例えば、図４（Ａ）に示すように、全ての粒子群４０が背面基板２２側に位置されている状態から、複数の画素電極２６（例えば、画素電極２６１、画素電極２６２）のうちの、画素電極２６１に対応する領域に存在する粒子群４０のみを表示基板２０側へ移動させて画像表示させるとする。すなわち、複数の画素電極２６のうちの、基板間で粒子群４０を移動させる画素に応じた位置に設けられた画素電極２６が画素電極２６１であるとし、粒子群４０を移動させる画素以外の画素に対応する位置に設けられた画素電極２６が画素電極２６２であるとする。
【００６６】
この場合、上記第１の処理が行われることによって、図４（Ｂ）に示すように、表示媒体１２に封入されている粒子群４０のうちの、画素電極２６１に対応する領域に位置されていた粒子群４０は、中間電極３４の開口部３４Ａを通過し、画素電極２６２に対応する領域に位置されていた粒子群４０は、中間電極３４の開口部３４Ａを非通過とされる。
【００６７】
そして、上記第２の処理が行われることによって、図４（Ｃ）に示すように、上記第１の処理によって開口部３４Ａを通過した粒子群４０は、表示電極２４の設けられている表示基板２０側へ移動し、上記第１の処理によって開口部３４Ａを非通過の粒子群４０は、画素電極２６２の設けられている背面基板２２側へ移動する。
【００６８】
このため、本実施の形態の表示装置１０では、特定の画素に対応する領域の粒子群４０を向かい合う基板側へ移動させるときに、粒子群４０を移動させる画素以外の画素に対応する領域に位置されていた粒子群４０もまた該基板側へ移動することが抑制され、隣接する画素に対応する領域へ粒子群の移動や干渉の発生が抑制され、画質が向上されると考えられる。
【００６９】
上記第１の処理及び第２の処理のときに、表示電極２４、中間電極３４、及び複数の画素電極２６へ印加される電圧の一例を、図５（Ａ）及び図５（Ｂ）に示した。
なお、図５では、説明を簡略化するために、表示電極２４には０Ｖの電圧Ｖｃが印加され、または表示電極２４は接地されているものとして説明する。また、粒子群４０は、正極に帯電されているものとして説明する。また、図４と同様に、複数の画素電極２６のうちの、基板間で粒子群４０を移動させる画素に応じた位置に設けられた画素電極２６が画素電極２６１であるとし、粒子群４０を移動させる画素以外の画素に対応する位置に設けられた画素電極２６が画素電極２６２であるとする。
【００７０】
図５（Ａ）は、第１の処理及び第２の処理によって、粒子群４０を複数の画素電極２６側から、表示電極２４側へ移動させるときに、表示電極２４と、中間電極３４と、粒子群４０を移動させる画素に応じた位置に設けられた画素電極２６１と、に印加する電圧の一例を示したものである。
【００７１】
粒子群４０を、画素電極２６側から表示電極２４側へ移動させる場合においては、図５（Ａ）に示すように、第１の処理が行われる期間Ａには、表示電極２４には０Ｖの電圧ＶＣが印加され、画素電極２６１には、表示電極２４との電位差が、粒子群４０が画素電極２６１側（背面基板２２側）から表示電極２４側（表示基板２０側）へ移動する電位差となる電圧Ｖｐが印加される。また、中間電極３４には、表示電極２４及び画素電極２６１との電位差が、粒子群４０が画素電極２６１側（背面基板２２側）から表示電極２４側（表示基板２０側）へ開口部３４Ａを通過して移動する電位差となるように電圧Ｖｇが印加される。
【００７２】
なお、図示は省略するが、この第１の処理が行われる期間Ａには、粒子群４０を移動させる画素以外に対応する画素電極２６である画素電極２６２には、中間電極３４及び表示電極２４との電位差が、粒子群４０による中間電極３４の開口部３４Ａの通過の生じない電位差となる電圧が印加されていればよい。例えば、画素電極２６２には、０Ｖの電圧が印加される。
【００７３】
そして、第１の処理に続けて行われる第２の処理が行われる期間Ｂには、表示電極２４には０Ｖの電圧ＶＣが印加されたままで、中間電極３４には、画素電極２６１との電位差が中間電極３４の開口部３４Ａを通過した粒子群４０が表示電極２４側（表示基板２０側）へ移動する電位差となり、且つ、粒子群４０を移動させる画素以外の画素に対応する画素電極２６２との電位差が中間電極３４の開口部３４Ａを非通過の粒子群４０が画素電極２６側（背面基板２２側）へ移動する電位差となるように、電圧Ｖｇが印加される。
【００７４】
なお、粒子群４０を画素電極２６側から表示電極２４側へ移動させる場合において、第１の処理が行われる期間Ａには、複数の画素電極２６のうちの粒子群４０を移動させる画素に応じた位置に設けられた画素電極２６１と表示電極２４との電位差Ｐと、該画素電極２６１と中間電極３４との電位差Ｇと、の関係は、下記（１）の関係を満たすことがよい。
【００７５】
Ｐ／２≦Ｇ≦Ｐ          式（１）
【００７６】
上記式（１）の関係を満たすことで、第１の処理において、粒子群４０を複数の画素電極２６側から表示電極２４側へ移動させて開口部３４Ａを通過した状態とするときに、粒子群４０が中間電極３４の開口部３４Ａに捕捉されにくく、且つ、中間電極３４によって電位障壁が発生することが抑制される。このため、効果的に粒子群４０が画素電極２６側から表示電極２４側へむかって移動し、中間電極３４の開口部３４Ａを通過すると考えられる。
【００７７】
図６には、表示電極２４と、画素電極２６と、中間電極３４と、に電圧を印加したときの電界シミュレーション結果を示した。
なお、図６では、表示電極２４及び画素電極２６として、８０μｍ×８０μｍ，厚み３μｍの電極を１つずつ用意して、これらの表示電極２４と画素電極２６とを８０μｍの間隔をあけて向かい合うように配置した。そして、中間電極３４として、画素電極２６に対応する位置に６０μｍ×６０μｍの正方形状の孔（開口部３４Ａ）の設けられた厚み３μｍの電極を用意して、この中間電極３４を、これらの表示電極２４と画素電極２６との中間の位置（表示電極２４までの距離、及び画素電極２６までの距離の各々が３７μｍ）に配置することによって、実験用の表示媒体Ａを調整した。そして、この実験用の表示媒体Ａの表示電極２４に印加する電圧を０Ｖ、画素電極２６に印加する電圧を１０Ｖとし、中間電極３４に印加する電圧を０Ｖ，２．５Ｖ，５Ｖ，７．５Ｖ，及び１０Ｖとしたときの、電界シミュレーションによって示される電位面を、図６（Ａ）〜図６（Ｅ）の各々に示した。
【００７８】
なお、図６（Ａ）は、中間電極３４に印加する電圧を０Ｖとした場合、図６（Ｂ）は、中間電極３４に印加する電圧を２．５Ｖとした場合、図６（Ｃ）は、中間電極３４に印加する電圧を５Ｖとした場合の、電界シミュレーションによって示される電位面を示したものである。また、図６（Ｄ）は、中間電極３４に印加する電圧を７．５Ｖとした場合、図６（Ｅ）は、中間電極３４に印加する電圧を１０Ｖとした場合の電位面を示すシミュレーション結果である。
【００７９】
図６に示すように、中間電極３４に印加される電圧が、画素電極２６に印加されている１０Ｖの電圧の１／２の値である５Ｖ以下の図６（Ａ）及び図６（Ｂ）においては、中間電極３４の位置に相当する領域において電位面に凹みが生じていることが分かる。一方、中間電極３４に印加される電圧が、画素電極２６に印加されている１０Ｖの電圧の１／２の値である５Ｖを超える図６（Ｃ）〜図６（Ｅ）では、電位面に凹みが生じていないことが分かる。
粒子群４０は、電位が高いほうから低いほうへ電位面に沿って移動するため、中間電極３４に印加される電圧が画素電極２６に印加されている１０Ｖの電圧の１／２の値以下である場合には、画素電極２６側から表示基板２０側へ移動する粒子群４０は、電位面の凹みに相当する中間電極３４の開口部３４Ａに捕捉されることがある。一方、中間電極３４に印加される電圧が、画素電極２６に印加されている１０Ｖの電圧の１／２の値を超える場合には、画素電極２６側から表示基板２０側へ移動する粒子群４０は、中間電極３４の開口部３４Ａに捕捉されない。
【００８０】
このため、上記式（１）に示されるように、粒子群４０を複数の画素電極２６側から表示電極２４側へ移動させて開口部３４Ａを通過した状態とするためには、第１の処理において、複数の画素電極２６のうちの粒子群４０を移動させる画素に応じた位置に設けられた画素電極２６１と表示電極２４との電位差Ｐと、該画素電極２６１と中間電極３４との電位差Ｇと、の関係は、上記（１）中のＰ／２≦Ｇの関係を満たすことがよい。
【００８１】
また、図７にも、表示電極２４と、画素電極２６と、中間電極３４と、に電圧を印加したときの電界シミュレーション結果を示した。
図７には、図６で用いた実験用の表示媒体の表示電極２４に印加する電圧を０Ｖ、中間電極３４に印加する電圧を１０Ｖとし、画素電極２６に印加する電圧を０Ｖ，５Ｖ，１０Ｖ，１５Ｖとしたときの、電界シミュレーションによって示される等電位曲線を、図７（Ａ）〜図７（Ｄ）の各々に示した。
なお、図７（Ａ）は、画素電極２６に印加する電圧を０Ｖとした場合、図７（Ｂ）は、画素電極２６に印加する電圧を５Ｖとした場合、図７（Ｃ）は、画素電極２６に印加する電圧を７．５Ｖとした場合の、電界シミュレーションによって示される等電位曲線を示したものである。また、図７（Ｄ）は、画素電極２６に印加する電圧を１０Ｖとした場合の電位面を示すシミュレーション結果である。
【００８２】
図７に示すように、画素電極２６に印加される電圧が、中間電極３４に印加されている１０Ｖの電圧以下である場合（図７（Ａ）〜図７（Ｂ））には、画素電極２６から表示電極２４の間に電位障壁が生ずる。このため、画素電極２６に印加される電圧が、中間電極３４に印加されている電圧以下である場合には、画素電極２６側から表示基板２０側へ移動する粒子群４０は、中間電極３４によって形成された電位障壁のために、中間電極３４の開口部３４Ａを通過することができない。
一方、画素電極２６に印加される電圧が、中間電極３４に印加されている１０Ｖの電圧を超える場合（図７（Ｃ）〜図７（Ｄ））には、画素電極２６から表示電極２４の間に電位障壁は生じない。このため、画素電極２６に印加される電圧が、中間電極３４に印加される電圧を超える場合には、画素電極２６側から表示基板２０側へ移動する粒子群４０は、中間電極３４の開口部３４Ａを通過することができる。
【００８３】
このため、上記式（１）に示されるように、粒子群４０を複数の画素電極２６側から表示電極２４側へ移動させて開口部３４Ａを通過した状態とするためには、第１の処理において、複数の画素電極２６のうちの粒子群４０を移動させる画素に応じた位置に設けられた画素電極２６１と表示電極２４との電位差Ｐと、該画素電極２６１と中間電極３４との電位差Ｇと、の関係は、上記（１）中のＧ≦Ｐの関係を満たすことがよいといえる。
【００８４】
上記図６及び図７に示すシミュレーション結果をあわせると、粒子群４０を複数の画素電極２６側から表示電極２４側へ移動させて開口部３４Ａを通過した状態とするためには、第１の処理において、複数の画素電極２６のうちの粒子群４０を移動させる画素に応じた位置に設けられた画素電極２６１と表示電極２４との電位差Ｐと、該画素電極２６１と中間電極３４との電位差Ｇと、の関係は、上記（１）に示される関係（Ｐ／２≦Ｇ≦Ｐ）の関係を満たすことが良いといえる。
【００８５】
例えば、表示電極２４に印加する電圧を０Ｖまたは接地した状態とし、画素電極２６に印加する電圧を０Ｖから連続的に変化させて電位差を発生させたときに、粒子群４０が電圧値１０Ｖ以上の電圧を印加されることで移動する正極性に帯電された粒子群４０であるとする（すなわち、電位差１０Ｖ）。
この場合には、粒子群４０を複数の画素電極２６側から表示電極２４側へ移動させる場合において、第１の処理が行われる期間Ａ（図５（Ａ）参照）には、上記式（１）を満たすように、表示電極２４には０Ｖの電圧ＶＣが印加され、画素電極２６１には、１０Ｖの電圧Ｖｐが印加され、中間電極３４には、５Ｖの電圧Ｖｇが印加される。
【００８６】
なお、この第１の処理時に、粒子群４０を移動させる画素に対応する画素電極２６である画素電極２６１に印加される電圧は、粒子群４０が画素電極２６側から表示電極２４側へ移動する電圧値及び時間の電圧であればよい。このため、上述のように、表示電極２４を０Ｖまたは接地した状態として画素電極２６に１０Ｖ以上の電圧を印加したときに粒子群４０が移動するのであれば、画素電極２６１に印加される電圧Ｖｐは、１０Ｖ以上の電圧値であり、且つ、該電圧値の電圧の印加により粒子群４０が開口部３４Ａを通過するまでの時間であればよい。
【００８７】
一方、粒子群４０を複数の画素電極２６側から表示電極２４側へ移動させる場合においては、第２の処理が行われる期間Ｂに、画素電極２６及び中間電極３４へ印加される電圧は、開口部３４Ａを通過した粒子群４０と、開口部３４Ａを非通過の粒子群４０と、を反対方向の基板側へ移動させる電圧であればよい。
【００８８】
例えば、第２の処理では、第１の処理時と同じ電圧値及び同じ極性の電圧（０Ｖではない電圧）を継続して中間電極３４へ印加したままで、画素電極２６１に印加する電圧Ｖｐを表示電極２４へ印加される電圧Ｖｃと同じ電圧値である０Ｖとすればよい。また、この電圧値の電圧Ｖｐの電圧印加時間は、開口部３４Ａを通過及び非通過の粒子群４０が、各々逆の方向の基板側に到達するまでの時間であればよい。
【００８９】
また、さらに、粒子群４０を中間電極３４からより強く引き離す電界を形成する観点から、図５（Ａ）の期間Ｂに示すように、第２の処理時には、画素電極２６１に印加する電圧Ｖｐを表示電極２４へ印加される電圧Ｖｃと同じ電圧値である０Ｖとすると共に、中間電極３４に印加する電圧Ｖｇの電圧値を、第１の処理時に中間電極３４へ印加されていた電圧値の絶対値より大きい値であって、且つ、粒子群４０の極性と同極性とすることがよい。
【００９０】
次に、粒子群４０を表示電極２４側から複数の画素電極２６側へ移動させる場合について説明する。
粒子群４０を表示電極２４側から複数の画素電極２６側へ移動させる場合についても同様に、上記第１の処理を行った後に、上記第２の処理を行えばよい。
【００９１】
ただし、粒子群４０を表示電極２４側から複数の画素電極２６側へ移動させる場合には、第１の処理においては、表示電極２４と中間電極３４とを同じ電位とすることが良い（図５（Ｂ）参照）。
【００９２】
図９には、表示電極２４側に配置されている粒子群４０を、画素電極２６側に移動させる場合に、第１の処理において、表示電極２４と中間電極３４とを同じ電位とすることが良いことを裏付けるシミュレーション結果を示した。
【００９３】
図９（Ａ）には、上記実験用の表示媒体Ａを用い、この表示媒体Ａの表示電極２４へ０Ｖの電圧を印加し、且つ中間電極３４に電圧値１０Ｖの電圧を印加した状態で、画素電極２６に、電圧値０Ｖ，，５Ｖ，，１０Ｖ，１５Ｖの電圧を各々印加したときの、開口部３４Ａの中央における、基板法線方向の電界強度変化のシミュレーション結果を示す。
【００９４】
また、図９（Ｂ）には、表示媒体Ａの表示電極２４へ０Ｖの電圧値の電圧を印加し、且つ中間電極３４にも０Ｖの電圧を印加した状態で、画素電極２６に電圧値０Ｖ，５Ｖ，１０Ｖ，１５Ｖの電圧を各々印加したときの、開口部３４Ａの中央における、基板法線方向の電界強度変化のシミュレーション結果を示す。
【００９５】
図９（Ａ）に示すように、表示電極２４へ印加される電圧を電圧値０Ｖとし、中間電極３４に印加される電圧を電圧値１０Ｖとした状態で、画素電極２６に印加する電圧の電圧値を０Ｖ以上１５Ｖ以下の範囲で変化させると、線図６０に示すように、表示電極２４付近では最小で０．１８Ｖ／μｍ、最大で０．２２Ｖ／μｍの範囲で変化した。粒子群４０の移動速度は電界強度に比例するため、最も遅い粒子に対する最も速い粒子の速度比は、１２２％（＝０．２２／０．１８）である。後述するように、この速度比は３００％以上であることが望ましく、それと比較すると不十分な値であった。
【００９６】
一方、表示電極２４へ印加される電圧を電圧値０Ｖとし、中間電極３４に印加される電圧も電圧値０Ｖとした状態で、画素電極２６に印加する電圧の電圧値を０Ｖ以上１５Ｖ以下の範囲で変化させると、線図６２に示すように、表示電極２４付近では最小で０Ｖ／μｍ、最大で０．０５Ｖ／μｍの範囲で変化した。この場合、最も遅い粒子に対する最も速い粒子の速度比は、無限大となり、十分な速度差を確保することができることがわかる。
【００９７】
このことから、表示電極２４側に配置されている粒子群４０を、画素電極２６側に移動させる場合には、第１の処理においては、表示電極２４と中間電極３４とを同じ電位とすることが、中間電極３４側における電界変調度が良好である観点から、良いといえる。これは、表示電極２４付近では、表示電極２４と中間電極３４との電位差に起因した電界と、表示電極２４と画素電極２６との電位差に起因した電界とが重畳するためである。前者をゼロとすることよって、後者の効果を高められる。
【００９８】
以上説明したように、本実施の形態の表示装置１０によれば、移動対象の画素に対応する領域に位置されている粒子群４０について中間電極３４の開口部３４Ａを通過させ、移動対象外の画素に対応する領域に位置されている粒子群４０については中間電極３４の開口部３４Ａを非通過とするように第１の処理を行った後に、開口部３４Ａを通過した粒子群４０については通過先の基板側へ移動させ、開口部３４Ａを非通過の粒子群４０については該基板とは反対側の基板側へ移動させるように第２の処理を行う。
【００９９】
このため、粒子群４０は、表示基板２０側または背面基板２２側へ移動し、中間に浮遊する粒子などが抑制され、結果として、ある色を表示したときと、別の色を表示したときの色分離が改善される。
【０１００】
なお、本実施の形態の表示装置１０で用いられる粒子群４０は、上記第１の処理によって中間電極３４の開口部３４Ａを通過した粒子群４０が、中間電極３４と移動対象先の電極（例えば表示電極２４）との丁度中間の位置まで移動したときに、移動対象外の画素に対応する領域では、第１の処理前に粒子群４０が位置されていた側の電極（例えば画素電極２６）と中間電極３４との中間の位置より手前（＝画素電極２６側）にあることが、コントラスト明瞭な表示を行うために好ましい。
具体的には、図８（Ａ）に示すように、表示電極２４と画素電極２６との丁度中間の位置に中間電極３４が設けられている場合には、上記第１の処理における期間Ａに、表示電極２４、画素電極２６、及び中間電極３４に電圧が印加されたときに、開口部３４Ａを通過した粒子群４０と、開口部３４Ａを非通過の粒子群４０と、の泳動速度比が、３：１以上であることがよい。
【０１０１】
このような移動を実現するためには、表示媒体１２の構成、表示電極２４と中間電極３４と画素電極２６との距離、粒子群４０の構成、及び第１の処理時に印加する電圧の電圧値等を調整すればよい。
【０１０２】
なお、本実施の形態では、表示媒体１２に含まれる粒子群４０は１種類であるものとして説明したが、基板間を電界に応じて移動する粒子群として、同極性であり且つ移動特性の異なる複数種類の粒子群を用いてもよい。
【０１０３】
この場合には、第１の処理では、複数種類の粒子群のうちの移動対象の種類の粒子群が、中間電極３４の開口部３４Ａを通過し、複数種類の粒子群のうちの該移動対象の粒子群より移動特性の低い移動対象外の粒子群が開口部３４Ａを非通過となる電圧を、表示電極２４、及び複数の画素電極２６へ印加すればよい。
【０１０４】
そして、該第１の処理の後に連続して行われる第２の処理では、該第１の処理によって中間電極３４の開口部３４Ａを通過した該移動対象の種類の粒子群が、一対の基板のうちの該移動対象の種類の粒子群の通過方向下流側へ移動し、該第１の処理によって中間電極３４の開口部３４Ａを非通過の該移動対象外の粒子群が該基板に向かい合う基板側へ移動する電圧を、表示電極２４、複数の画素電極２６、及び中間電極３４へ印加すればよい。
【０１０５】
（第２の実施の形態）
上記第１の実施の形態では、表示媒体１２に含まれる粒子群４０は１種類であるものとして説明したが、本実施の形態では、基板間を電界に応じて移動する粒子群として、同極性であり、且つ移動特性の異なる複数種類の粒子群を用いた形態を説明する。そして、本実施の形態では、移動対象の種類の粒子群のうちの、移動特性の低い種類順に移動対象の前記第１の粒子群を定めることで、移動特性の最も低い粒子群４１順に、第１の処理及び該第１の処理の後に連続して行う第２の処理を、繰り返し実行する場合を説明する。
【０１０６】
図１０に示すように、本実施の形態の表示装置１０Ａは、表示媒体１２Ａと、表示媒体１２Ａに電圧を印加する電圧印加部１６Ａと、電圧印加部１６Ａの駆動を制御する制御部１８Ａと、を含んで構成されている。制御部１８Ａは、電圧印加部１６Ａに信号授受可能に接続されている。
【０１０７】
なお、表示装置１０Ａが本発明の表示装置に相当し、電圧印加部１６Ａ及び制御部１８Ａが、本発明の表示装置における電圧印加装置に相当する。
【０１０８】
表示媒体１２Ａは、表示基板２０と、背面基板２２と、を含んで構成されている。表示基板２０と背面基板２２との基板間には、分散媒３６が充填されており、分散媒３６中には、白色粒子３８が分散されている。また、分散媒３６中には、表示基板２０と背面基板２２との基板間に形成された電界に応じて該基板間を移動し、同極性であり、且つ互いに移動速度の異なる複数種類の粒子群４１Ｙ、粒子群４１Ｃ、及び粒子群４１Ｍが分散されている。なお、これらの複数種類の粒子群４１Ｙ、粒子群４１Ｃ、及び粒子群４１Ｍを総称する場合には、粒子群４１と称して説明する。
【０１０９】
なお、本実施の形態では、表示媒体１２Ａに封入された複数種類の粒子群４１は、３種類の粒子群４１である場合を説明するが、２種類以上であればよく、３種類に限られない。また、これらの複数種類の粒子群４１（粒子群４１Ｙ、粒子群４１Ｃ、及び粒子群４１Ｍ）は、同じ極性であり、且つ互いに移動特性が異なっていれば良く、同じ色であってもよいし、互いに異なる色であってもよい。なお、同じ色である場合には、特定の種類の粒子群の移動により濃度調整が実現され、互いに異なる色とした場合には、複数種類の粒子群４１による多色表示が実現される。また、これらの複数種類の粒子群４１は、基板間を移動する電界強度に重複する領域を有していればよい。すなわち、表示電極２４と画素電極２６とに、ある電圧を印加したときに、移動特性は異なるものの、全ての種類の粒子群４１が移動する電圧範囲を有する形態であればよい。
【０１１０】
なお、本実施の形態では、説明を簡略化するために、複数種類の粒子群４１は、移動特性として、移動速度が異なるものとして説明するが、異なる移動特性として、電圧閾値が異なっていてもよく、移動速度及び電圧閾値の双方が異なっていてもよい。
【０１１１】
また、上述のように、粒子群４１Ｙ、粒子群４１Ｃ、及び粒子群４１Ｍは、同極性であり、互いに移動速度の異なる複数種類の粒子群４１である。このため、これらの粒子群４１Ｙ、粒子群４１Ｃ、及び粒子群４１Ｍは、基板間に電圧が印加されることで移動し、電圧の印加時間を調整されることで、互いに異なる移動距離とされる。
【０１１２】
なお、これらの粒子群４１は、第１の実施の形態で説明した粒子群４０の構成材料として挙げた材料により製造すればよい。これらの複数種類の粒子群４１の各々の移動速度や極性は、各種類の粒子群４１を構成する各粒子の表面の分散媒３６に対する流動抵抗、平均帯電量、粒径、形状係数、及び構成材料等によって定められる。このため、粒子群４１Ｙ、粒子群４１Ｃ、及び粒子群４１Ｍの各々における流動抵抗、平均帯電量、粒径、形状係数、及び構成材料等を調整することで、同極性であり且つ移動速度の異なる複数種類の粒子群４１が調整される。
【０１１３】
表示基板２０には、表示電極２４と絶縁層２８が順に設けられている。背面基板２２には、複数の画素電極２６及び絶縁層３０が順に設けられている。また、表示基板２０と背面基板２２との間には、中間電極３４が設けられている。
【０１１４】
なお、本実施の形態における表示媒体１２Ａは、第１の実施の形態で説明した表示媒体１２において、表示媒体１２に封入される粒子群４０に換えて、複数種類の粒子群４１（４１Ｙ、粒子群４１Ｃ、粒子群４１Ｍ）を用いた以外は、表示媒体１２と同じ構成であるため、同じ機能を有する部材には同じ符号を付与して詳細な説明を省略する。
【０１１５】
以下、本実施の形態の表示装置１０Ａにおける作用を説明する。
なお、以下では、粒子群４１は、互いに色の異なる３種類の粒子群４１から構成され、粒子群４１Ｙの色はイエロー、粒子群４１Ｃの色はシアン、粒子群４１Ｍの色はマゼンタであるものとして説明する。ただし、移動速度が遅いものから順に、粒子群４１Ｙ、粒子群４１Ｃ、及び粒子群４１Ｍ（粒子群４１Ｙの移動速度＜粒子群４１Ｃの移動速度＜粒子群４１Ｍの移動速度）であるものとする。
【０１１６】
本実施の形態の表示装置１０Ａの電圧印加部１６Ａでは、制御部１８Ａの制御によって、第１の実施の形態で説明した表示装置１０と同様に、基板間において粒子群４１を移動させるときには、第１の処理を行った後に、該第１の処理に連続して第２の処理を行う。ただし、第１の実施の形態の表示装置１０と異なる点は、本実施の形態の表示装置１０Ａの電圧印加部１６Ａでは、この第１の処理及び該第１の処理の後に連続して行う第２の処理を、移動対象の種類の粒子群４１のうちの、移動速度の最も遅い粒子群４１から順に繰り返し実行する点である。
【０１１７】
なお、この第１の処理及び第２の処理において印加される電圧についての詳細は、電圧印加時間を粒子群４１の種類に応じて調整する（詳細は後述）以外は、第１の実施の形態で説明した処理と同じであるため詳細な説明を省略する。
【０１１８】
なお、上記の「移動速度の最も遅い種類の粒子群４１から順に、上記第１の処理及び上記第２の処理を繰り返し実行する」とは、目的とする色を表示させるために、複数種類の粒子群４１の基板間の移動を複数回繰り返し実行する必要がある場合に、第１の処理を行った後に第２の処理を行う一連の処理を、移動速度の最も遅い種類の粒子群４１から順に繰り返し実行することを示している。
【０１１９】
この複数種類の粒子群４１の基板間の移動を複数回繰り返し実行する必要がある場合とは、例えば、特定の画素に目的とする色を表示するためには、例えば、粒子群４１Ｙ、粒子群４１Ｃ、及び粒子群４１Ｍの粒子群４１が画素電極２６側（または表示電極２４側）に位置されている状態から、粒子群４１の基板間の移動を２回以上行なう必要がある場合を示している。具体的には、表示媒体１２Ａにおける特定の画素に対応する領域に赤を表示する場合には、該領域に、粒子群４１Ｍと粒子群４１Ｙとが位置された状態として、マゼンタとイエローとの減色混合により赤を表現する必要がある。そして、この赤色の表示を、粒子群４１Ｙ、粒子群４１Ｃ、及び粒子群４１Ｍの粒子群４１が画素電極２６側（背面基板２２側）に位置されている状態から実現するためには、複数種類の粒子群４１の基板間の移動を複数回繰り返し実行する必要がある。
【０１２０】
なお、移動速度の最も遅い種類の粒子群４１から順に第１の処理及び第２の処理を繰り返し実行するためには、各種類の粒子群４１に応じた第１の処理及び第２の処理を行う必要がある。この各種類の粒子群４１に応じた第１の処理及び第２の処理とするためには、第１の処理及び第２の処理において表示電極２４、中間電極３４、及び複数の画素電極２６に印加する電圧の印加時間を調整すればよい。
【０１２１】
例えば、移動速度の最も遅い種類の粒子群４１について、第１の処理を行う場合には、以下のようにすればよい。具体的には、複数の画素電極２６のうちの基板間で粒子群４１Ｙを移動させる画素に応じた位置に設けられた画素電極２６１には、移動速度の最も遅い種類の粒子群４１Ｙが中間電極３４の開口部３４Ａを通過するように、粒子群４１Ｙが基板間を移動する電圧値の電圧を、粒子群４１Ｙが中間電極３４の開口部３４Ａを通過するまで継続して印加すればよい。一方、この第１の処理において、複数の画素電極２６のうちの基板間で粒子群４１Ｙを移動させる画素以外の画素に応じた位置に設けられた画素電極２６２には、移動速度の最も遅い種類の粒子群４１Ｙが中間電極３４の開口部３４Ａを非通過となる電圧値の電圧を印加すればよい。
なお、この第１の処理では、中間電極３４には、第１の実施の形態で説明したように、粒子群４１Ｙが画素電極２６１に対応する開口部３４Ａを通過し、且つ粒子群４１Ｙが画素電極２６２に対応する開口部３４Ａを非通過となる電圧値の電圧が印加されていればよい。
【０１２２】
そして、第２の処理においては、中間電極３４及び画素電極２６へ、該第１の処理によって開口部３４Ａを通過した粒子群４１Ｙが該通過方向下流側の基板側に到達し、開口部３４Ａを非通過の粒子群４１Ｙが他方の基板側に到達するまでの時間継続して、上記第１の実施の形態で説明した第２の処理において印加すべき電圧値の電圧を印加すればよい。
【０１２３】
なお、これらの第１の処理及び第２の処理によって、複数種類の粒子群４１のうちの特定の種類の粒子群４１を移動させる場合には、該特定の種類の粒子群４１より移動速度の速い種類の粒子群４１もまた移動することとなる。すなわち、移動速度の最も遅い粒子群４１Ｙについて基板間を移動させるときには、該粒子群４１Ｙより移動速度の速い種類の粒子群４１Ｃ及び粒子群４１Ｍもまた移動することとなる。
このため、本実施の形態の表示装置１０Ａでは、第１の処理及び第２の処理を移動速度の最も遅い種類の粒子群４１から順に繰り替えし実行することによって、各画素に目的とする色が表示されるように、予め、各種類の粒子群４１の速度及び色を調整しておけばよい。また、調整された複数種類の粒子群４１の特性（色及び移動速度）に応じて、目的とする色を表示するための上記第１の処理及び第２の処理の繰り返し回数や、各処理における電圧の電圧値及び電圧印加時間を調整すればよい。
【０１２４】
以下、本実施の形態の表示装置１０Ａにおいて、粒子群４１Ｙ、粒子群４１Ｃ、粒子群４１Ｍの３種類の３色の粒子群４１を、基板間を移動させて、各色表示を行う場合について、具体的な例を挙げて説明する。
【０１２５】
以下に説明する図１１では、説明を簡略化するために、粒子群４１を移動させる画素に対応する１つの画素電極（画素電極２６１とする）に着目した例を挙げて説明する。また、表示電極２４は、０Ｖまたは接地した状態であるものとして説明する。また、粒子群４１Ｙ、粒子群４１Ｃ、及び粒子群４１Ｍは、全て正極に帯電されているとする。
【０１２６】
まずは、全ての種類の粒子群４１を画素電極２６の設けられた基板である背面基板２２側へ移動させる初期化処理を行った後に、この全ての種類の粒子群４１（粒子群４１Ｙ、粒子群４１Ｃ、粒子群４１Ｍ）が、背面基板２２側に配置された状態（図１１（Ａ）参照）から、赤（Ｒ）を表示（図１１（Ｅ）参照）する場合を説明する。
【０１２７】
まず、初期化処理を行い、全ての種類の粒子群４１を画素電極２６の設けられた側に移動させる（図１１（Ａ）参照）。この初期化処理としては、図１２に示すように、初期化処理の行われる期間Ｒには、表示電極２４には０Ｖの電圧ＶＣが印加され、中間電極３４には、表示電極２４と同じ電極である０Ｖの電圧Ｖｇが印加される。また、全ての画素電極２６には、表示電極２４との電位差が、全ての種類の粒子群４１が画素電極２６側（背面基板２２側）へ移動する電位差となる電圧Ｖｐが印加される。本実施の形態では、粒子群４１は正極に帯電されているので、マイナスの電圧Ｖｐが印加される。
この初期化処理時に画素電極２６へ印加される電圧の印加時間は、全ての種類の粒子群４１が画素電極２６側へ移動する時間、すなわち、移動速度の最も遅い粒子群４１Ｙが画素電極２６側へ移動する時間であればよく、印加する電圧の電圧値や、複数種類の粒子群４１の移動速度及び移動する電界強度に応じて調整すればよい。
【０１２８】
さらに、複数の画素電極２６の各々には、同時に電圧を印加してもよいが、順次電圧を印加してもよい。この場合には、図１２に示すように、複数の画素電極２６の各々に順次電圧Ｖｐ（１）〜電圧Ｖｐ（ｎ）の各々の電圧を印加することとなる。このため、表示電極２４への電圧Ｖｃの印加及び中間電極３４への電圧Ｖｇの印加は、全ての画素電極２６への電圧印加が終了するまで継続して行われる。
【０１２９】
次に、上記の初期化処理によって、この全ての種類の粒子群４１（粒子群４１Ｙ、粒子群４１Ｃ、粒子群４１Ｍ）が、背面基板２２側に配置された状態（図１１（Ａ）参照）から、赤（Ｒ）を表示（図１１（Ｅ）参照）する場合を説明する。この赤（Ｒ）を表示（図１１（Ｅ）参照）する場合には、最終的には、表示基板２０側に、粒子群４１Ｙと粒子群４１Ｃのみを存在させた状態として、イエローとマゼンタとの減色混合により赤（Ｒ）を呈示する必要がある。
【０１３０】
このため、まずは、複数種類の粒子群４１のうちの、移動速度の最も遅い粒子群４１Ｙについて、第１の処理及び第２の処理を行う（図１２の期間Ｙ参照）。
【０１３１】
具体的には、この粒子群４１Ｙについての第１の処理としては、粒子群４１Ｙについての第１の処理の行われる期間ＡＹ（図１２参照）には、表示電極２４には０Ｖの電圧ＶＣが印加され、画素電極２６１には、粒子群４１Ｙが画素電極２６１側から表示電極２４側へ移動する電圧値の電圧Ｖｐが、該粒子群４１Ｙが開口部３４Ａを通過するまでの時間継続して印加される。そして、中間電極３４には、該粒子群４１Ｙの開口部３４Ａの通過を阻害しない程度の電圧値の電圧Ｖｇが印加される。
【０１３２】
さらに、複数の画素電極２６のうちの、粒子群４１Ｙを移動させる画素に対応する位置に設けられた画素電極２６の各々に順次電圧を印加するには、図１２に示すように、粒子群４１Ｙについての第１の処理の行われる期間ＡＹ中に、該画素電極２６の各々に順次電圧Ｖｐ（１）〜電圧Ｖｐ（ｎ）の各々の電圧を印加することとなる。このため、表示電極２４への電圧Ｖｃの印加及び中間電極３４への電圧Ｖｇの印加は、全ての画素電極２６への電圧印加が終了するまで継続して行われる。
【０１３３】
次に、粒子群４１Ｙについての第２の処理の行われる期間ＢＹ（図１２参照）には、表示電極２４には０Ｖの電圧ＶＣが印加され、画素電極２６１には、中間電極３４に印加される電圧との関係で、中間電極３４の開口部３４Ａを通過した粒子群４１Ｙが表示電極２４側へと移動するように、該粒子群４１Ｙが移動する電圧値の電圧Ｖｐが印加される。図１２に示す例では、粒子群４１Ｙについての第２の処理の行われる期間ＢＹにおいて、中間電極３４には、第１の処理時に印加されていた電圧の電圧値より高い電圧値の電圧が印加され、画素電極２６には、表示電極２４と同じ電圧である０Ｖの電圧Ｖｐが印加される。
【０１３４】
なお、第１の実施の形態で説明したように、第２の処理において画素電極２６１及び中間電極３４に印加される電圧は、中間電極３４の開口部３４Ａを通過した粒子群４１Ｙが移動方向下流側の基板側（例えば表示電極２４側）へ移動し、開口部３４Ａを非通過の粒子群４１Ｙが反対の基板側へ移動する電圧であればよく、画素電極２６に表示電極２４と同じ電圧である０Ｖの電圧Ｖｐを印加するのみで、中間電極３４へ印加する電圧値を変更しない形態であってもよい。ただし、この中間電極３４へ印加する電圧値を、第１の処理時に印加されていた電圧の電圧値より高い（電圧値の絶対値より大きい）値とすることで、効果的に粒子群４１Ｙが互いに反対の基板側へと移動する。以下の粒子群４１Ｍ及び粒子群４１Ｃの第２の処理についても同じである。
【０１３５】
この粒子群４１Ｙについての第１の処理及び第２の処理が行われることによって、粒子群４１Ｙを移動させる画素に対応する位置に設けられた画素電極２６１に対応する領域では、粒子群４１Ｙ及び粒子群４１Ｙより速度の速い種類の粒子群４１（粒子群４１Ｃ及び粒子群４１Ｍ）が表示電極２４側（表示基板２０側）へ移動する。これによって、該画素電極２６１に対応する領域には、粒子群４１Ｙによるイエロー、粒子群４１Ｃによるシアン、及び粒子群４１Ｍによるマゼンタの減色混合による黒が表示される（図１１（Ｂ）参照）。
【０１３６】
次に、粒子群４１Ｙより移動速度が速く、粒子群４１Ｍより移動速度の遅い粒子群４１Ｃについての第１の処理及び第２の処理が行われる（図１２の期間Ｃ参照）。
【０１３７】
この粒子群４１Ｃについての第１の処理の行われる期間ＡＣ（図１２参照）には、表示電極２４には０Ｖの電圧ＶＣが印加され、画素電極２６１には、粒子群４１Ｃが表示電極２４側から画素電極２６１側へ移動する電圧値の電圧Ｖｐが、該粒子群４１Ｃが開口部３４Ａを通過するまでの時間継続して印加される。そして、中間電極３４には、該粒子群４１Ｃの開口部３４Ａの通過を阻害しない程度の電圧値の電圧Ｖｇが印加される。
【０１３８】
さらに、複数の画素電極２６のうちの、粒子群４１Ｃを移動させる画素に対応する位置に設けられた画素電極２６の各々に順次電圧を印加するには、図１２に示すように、粒子群４１Ｃについての第１の処理の行われる期間ＡＣ中についても、該画素電極２６の各々に順次電圧Ｖｐ（１）〜電圧Ｖｐ（ｎ）の各々の電圧を印加することとなる。このため、表示電極２４への電圧Ｖｃの印加及び中間電極３４への電圧Ｖｇの印加は、全ての画素電極２６への電圧印加が終了するまで継続して行われる。
【０１３９】
次に、粒子群４１Ｃについての第２の処理の行われる期間ＢＣ（図１２参照）には、表示電極２４には０Ｖの電圧ＶＣが印加され、画素電極２６１には、中間電極３４に印加される電圧との関係で、中間電極３４の開口部３４Ａを通過した粒子群４１Ｃが表示電極２４側へと移動するように、該粒子群４１Ｃが移動する電圧値の電圧Ｖｐが印加される。図１２に示す例では、粒子群４１Ｃについての第２の処理の行われる期間ＢＣにおいて、中間電極３４には、第１の処理時に印加されていた電圧の電圧値より高い電圧値の電圧が印加され、画素電極２６には、表示電極２４と同じ電圧である０Ｖの電圧Ｖｐが印加される。
【０１４０】
この粒子群４１Ｃについての第１の処理及び第２の処理が行われることによって、粒子群４１Ｃを移動させる画素に対応する位置に設けられた画素電極２６１に対応する領域では、粒子群４１Ｃ及び粒子群４１Ｃより速度の速い種類の粒子群４１Ｍが画素電極２６１（背面基板２２）側へ移動する。これによって、表示基板２０側における該画素電極２６１に対応する領域には、粒子群４１Ｙのみが存在する状態となり、イエローが表示される（図１１（Ｄ）参照）。
【０１４１】
最後に、最も移動速度の速い粒子群４１Ｍについての第１の処理及び第２の処理が行われる（図１２の期間Ｍ参照）。
【０１４２】
この粒子群４１Ｍについての第１の処理の行われる期間ＡＭ（図１２参照）には、表示電極２４には０Ｖの電圧ＶＣが印加され、画素電極２６１には、粒子群４１Ｍが画素電極２６１側から表示電極２４側へ移動する電圧値の電圧Ｖｐが、該粒子群４１Ｍが開口部３４Ａを通過するまでの時間継続して印加される。そして、中間電極３４には、該粒子群４１Ｍの開口部３４Ａの通過を阻害しない程度の電圧値の電圧Ｖｇが印加される。
【０１４３】
さらに、複数の画素電極２６のうちの、粒子群４１Ｍを移動させる画素に対応する位置に設けられた画素電極２６の各々に順次電圧を印加するには、図１２に示すように、粒子群４１Ｍについての第１の処理の行われる期間ＡＭ中についても、該画素電極２６の各々に順次電圧Ｖｐ（１）〜電圧Ｖｐ（ｎ）の各々の電圧を印加することとなる。このため、表示電極２４への電圧Ｖｃの印加及び中間電極３４への電圧Ｖｇの印加は、全ての画素電極２６への電圧印加が終了するまで継続して行われる。
【０１４４】
次に、粒子群４１Ｍについての第２の処理の行われる期間ＢＭ（図１２参照）には、表示電極２４には０Ｖの電圧ＶＣが印加され、画素電極２６１には、中間電極３４に印加される電圧との関係で、中間電極３４の開口部３４Ａを通過した粒子群４１Ｍが表示電極２４側へと移動するように、該粒子群４１Ｍが移動する電圧値の電圧Ｖｐが印加される。図１２に示す例では、粒子群４１Ｍについての第２の処理の行われる期間ＢＭにおいて、中間電極３４には、第１の処理時に印加されていた電圧の電圧値より高い電圧値の電圧が印加され、画素電極２６１には、表示電極２４と同じ電圧である０Ｖの電圧Ｖｐが印加される。
【０１４５】
この粒子群４１Ｍについての第１の処理及び第２の処理が行われることによって、粒子群４１Ｍを移動させる画素に対応する位置に設けられた画素電極２６１に対応する領域では、粒子群４１Ｍが表示電極２４（表示基板２０）側へ移動する。これによって、表示基板２０側における該画素電極２６１に対応する領域には、粒子群４１Ｙ及び粒子群４１Ｍが存在する状態となり、イエローとマゼンタの減色混合による赤（Ｒ）が表示される（図１１（Ｅ）参照）。
【０１４６】
上述のように、赤を表示させる場合には、全ての種類の粒子群４１について、基板間を順次移動させる必要があるため、全ての種類の粒子群を背面基板２２側へ移動させた状態から、移動速度の遅い順に、粒子群４１Ｙ、粒子群４１Ｍ、粒子群４１Ｃの各々について第１の処理及び第２の処理を行えばよい。
【０１４７】
一方、初期化状態（白表示）から、グリーン（Ｇ）を表示する場合には、粒子群４１Ｃ及び粒子群４１Ｍのみを同時に移動させる工程は必要ないので、図１１（Ａ）に示す初期化された状態（白表示）から、上記と同様にして、第１の処理及び第２の処理を、移動速度の遅い順である粒子群４１Ｙ及び粒子群４１Ｍの順に行うことで、グリーン表示が実現される（図１１（Ａ）、図１１（Ｂ）、図１１（Ｃ）参照）。
【０１４８】
同様に、初期化状態（白表示）から、シアン（Ｃ）を表示する場合については、移動速度の最も遅い粒子群４１Ｙを移動させる工程は必要ないので、図１１（Ａ）に示す初期化された状態（白表示）から、上記と同様にして、第１の処理及び第２の処理を、移動速度の遅い順である粒子群４１Ｃ及び粒子群４１Ｍの順に行うことで、シアン（Ｃ）表示が実現される（図１１（Ａ）、図１１（Ｆ）、図１１（Ｇ）参照）。
【０１４９】
さらに、初期化状態（白表示）から、マゼンタ（Ｍ）を表示する場合については、最も移動速度の速い粒子群４１Ｍのみを表示基板２０側へ移動させればよいので、図１１（Ａ）に示す初期化された状態（白表示）から、第１の処理及び第２の処理を、粒子群４１Ｍについて行うことで、マゼンタ（Ｍ）表示が実現される（図１１（Ａ）、図１１（Ｈ）参照）。
【０１５０】
以上説明したように、本実施の形態の表示装置１０Ａでは、基板間において複数種類の粒子群４１を移動させるときには、第１の処理を行った後に、第１の処理及び第２の処理を、移動対象の種類の粒子群４１のうちの、移動速度の最も遅い粒子群４１から順に繰り返し実行する。
【０１５１】
このため、互いに色及び移動特性の異なる同極性の複数種類の粒子群４１を用いて多色表示を行う場合においても、粒子群４１を、表示基板２０側または背面基板２２側へ移動させるため、中間に浮遊する粒子などが抑制され、結果として、ある色を表示したときと、別の色を表示したときの色分離が改善される。
【０１５２】
なお、本実施の形態の表示装置１０Ａで用いられる複数種類の粒子群４１は、上記に説明したように、互いに移動速度の異なる同極性の粒子群４１であればよいが、上記第１の処理によって中間電極３４の開口部３４Ａを通過させる対象の種類の粒子群４１が、中間電極３４と移動対象先の電極（例えば表示電極２４）との丁度中間の位置まで移動し、移動対象外の種類の粒子群については、第１の処理前に該種類の粒子群４１が位置されていた側の電極（例えば画素電極２６）と中間電極３４との中間の位置まで移動する速度に調整されていることがよい。ただし、処理を行っている粒子群４１より移動速度が速い粒子群４１は、中間電極３４の開口部３４Ａを通過させなければならない点が、第１の実施の形態と異なる。第１の実施の形態では、開口部３４Ａを通過させる粒子群４１と、通過させない粒子群４１との移動速度比は、３：１より大きいほど好ましかったが、第２の実施の形態では、移動速度比が大きいほど移動に時間がかかるので、３：１の近傍、およそ１．５：１〜４．５：１の範囲とすること好ましい。
具体的には、表示電極２４と画素電極２６との丁度中間の位置に中間電極３４が設けられている場合には、図８（Ｂ）に示すように、最も移動速度の速い種類の粒子群４１（例えば粒子群４１Ｍ）と、次に移動速度の速い種類の粒子群４１（例えば、粒子群４１Ｃ）と、移動速度の最も遅い種類の粒子群４１（例えば、粒子群４１Ｙ）と、の移動速度の非は、９：３：１であることがよい。
【０１５３】
このような移動を実現するためには、表示媒体１２の構成、表示電極２４と中間電極３４と画素電極２６との距離、各種類の粒子群４１の構成、及び第１の処理時に印加する電圧の電圧値等を調整すればよい。
【符号の説明】
【０１５４】
１０，１０Ａ  表示装置
１２，１２Ａ  表示媒体
１６，１６Ａ  電圧印加部
１８，１８Ａ  制御部
２０   表示基板
２２   背面基板
２４   表示電極
２６   画素電極
３４   中間電極
３４Ａ  開口部
４１，４１Ｙ，４１Ｍ，４１Ｃ  粒子群
【図１】
0005381671.tif 000002
【図２】
0005381671.tif 000003
【図３】
0005381671.tif 000004
【図４】
0005381671.tif 000005
【図５】
0005381671.tif 000006
【図１１】
0005381671.tif 000007
【図１２】
0005381671.tif 000008
【図１３】
0005381671.tif 000009
【図６】
0005381671.tif 000010
【図７】
0005381671.tif 000011
【図８】
0005381671.tif 000012
【図９】
0005381671.tif 000013
【図１０】
0005381671.tif 000014